(57)【要約】【課題】  物理量の指示方法に工夫を凝らして、物理量の変化状態を容易に視認可能且つ斬新な見映えの車両用計器を提供する。【解決手段】  最新の走行速度を指示する現在値の背後に、過去の速度を指示する過去値を順次遡るように４個を互いに部分的に重ねて表示し、且つ４個の過去値を増速中は現在値の右下方に、減速中は現在値の左上方に配置した。さらに、加速度が大きいほど現在値および過去値の配置間隔である表示ピッチを大きく設定している。この場合、視認者は、過去値の位置から増速中か減速中かを、また表示ピッチ大小から加速度の大小を極めて容易に認知することができる。したがって、増速中か減速中か、および加速度（増速時および減速時）の大小を容易に視認可能且つ斬新な見映えの速度計１を実現することができる。【選択図】        図１
2005300360.tif 000002
【特許請求の範囲】
【請求項１】
文字および図形を表示する表示器を備え、
検出された物理量を前記表示器上に形成される数字により指示する車両用計器であって、
前記表示器において、現在の物理量を指示する現在値の背後に、過去の物理量を指示する過去値を一個あるいは順次遡る複数個を前記現在値と部分的に重ねて表示し、
前記過去値が重ねて表示される前記現在値の部位を物理量の変化状態に対応して切り替えることを特徴とする車両用計器。
【請求項２】
文字および図形を表示する表示器を備え、
検出された物理量を前記表示器上に形成される数字により指示する車両用計器であって、
前記表示器において、現在の物理量を指示する現在値の背後に、該現在値を一個あるいは複数個を前記現在値と部分的に重ねて表示し、
前記現在値が重ねて表示される前記現在値の部位を物理量の変化状態に対応して切り替えることを特徴とする車両用計器。
【請求項３】
前記部位は、物理量が増加中においては右側、下側、または右下側のいずれかであり、物理量が減少中においては左側、上側、または左上側のいずれかであることを特徴とする請求項１または請求項２に記載の車両用計器。
【請求項４】
物理量の変化度合いの大きさによって、重ねて表示される前記現在値あるいは前記過去値の表示ピッチを変えることを特徴とする請求項１ないし請求項３のいずれかに記載の車両用計器。
【請求項５】
物理量の変化度合いが大きいほど、前記表示ピッチを大きくすることを特徴とする請求項４に記載の車両用計器。
【請求項６】
物理量の変化度合いの大きさによって、重ねて表示される前記現在値あるいは前記過去値の個数を変えることを特徴とする請求項１ないし請求項３のいずれかに記載の車両用計器。
【請求項７】
物理量の変化度合いが大きいほど、重ねて表示される前記現在値あるいは前記過去値の個数を多くすることを特徴とする請求項６に記載の車両用計器。
【請求項８】
物理量の変化度合いの大きさによって、前記現在値および重ねて表示される前記現在値あるいは前記過去値を重なり方向に向けて傾斜させることを特徴とする請求項１ないし請求項３のいずれかに記載の車両用計器。
【請求項９】
物理量の変化度合いが大きいほど、傾斜度合いを大きくすることを特徴とする請求項８に記載の車両用計器。
【請求項１０】
前記現在値および重ねて表示される前記現在値あるいは前記過去値の発光輝度を徐々に変えることを特徴とする請求項１ないし請求項９のいずれかに記載の車両用計器。
【請求項１１】
前記現在値および重ねて表示される前記現在値あるいは前記過去値の発光色を徐々に変えることを特徴とする請求項１ないし請求項９のいずれかに記載の車両用計器。
【請求項１２】
前記物理量は、車両の走行速度、エンジン回転速度、エンジン冷却水温度、残存燃料量およびエンジン潤滑油圧力の内の少なくとも一つであることを特徴とする請求項１ないし請求項１１のいずれかに記載の車両用計器。
【発明の詳細な説明】
【技術分野】
【０００１】
本発明は、車両の運転席に設置されて車両に関する様々な情報を運転者が視認可能に表示するための車両用計器に関するものであり、たとえば自動車等に用いて好適である。
【背景技術】
【０００２】
車両用計器においては、指針の回動角度により物理量を指示する、つまりアナログ式に指示することが一般的に行われてきた。また、車両用計器の見映えを斬新なものとするために、物理量を数字で表示する、いわゆるデジタルメータが採用されている。
【０００３】
デジタル式計器によれば、物理量を数字により直接的に読み取ることができる反面、物理量の変化状態、たとえば、増加中であるのか、または減少中であるのか、あるいはそれらの度合い、すなわち変化率の大小を直感的に読み取ることは困難である。
【０００４】
この問題を解決するために、たとえば、表示すべき変化量を複数の量帯域に分け、小なる量帯域から大なる量帯域になるにしたがい表示数字の大きさが小から大となるよう制御する表示制御回路を設けたものがある（特許文献１参照）。
【特許文献１】実開昭６１−４８８３８号公報
【発明の開示】
【発明が解決しようとする課題】
【０００５】
上述の、従来の車両用計器、つまり特許文献１に記載の車両用計器においては、物理量の変化が複数の量帯域に跨る場合は、表示数字の大きさが変化するので物理量の変化状態をある程度は認識することができる。
【０００６】
しかし、物理量の変化が一つの量帯域内で発生した場合は、表示数字の大きさは変わらず、したがって物理量の変化状態を認識することは困難である。
【０００７】
また、従来の車両用計器においては、物理量の変化状態および変化度合い、すなわち物理量が増大中なのか減少中なのか、および物理量の変化が急激であるのかまたは緩慢であるのか等を判断することは非常に困難である。
【０００８】
さらに、従来の車両用計器においては、表示数字の大きさが数段階に変化するのみであり、車両用計器の見映えが平面的で面白みに欠けたものになるという問題がある。
【０００９】
本発明は、上記の諸問題点に鑑みなされたもので、物理量の指示方法に工夫を凝らして、物理量の変化状態を容易に視認可能且つ斬新な見映えの車両用計器を提供することを目的とする。
【課題を解決するための手段】
【００１０】
本発明は上記目的を達成する為、以下の技術的手段を採用する。
【００１１】
本発明の請求項１に記載の車両用計器は、文字および図形を表示する表示器を備え、検出された物理量を表示器上に形成される数字により指示する車両用計器であって、表示器において、現在の物理量を指示する現在値の背後に、過去の物理量を指示する過去値を一個あるいは順次遡る複数個を現在値と部分的に重ねて表示し、過去値が重ねて表示される現在値の部位を物理量の変化状態に対応して切り替える構成としている。
【００１２】
この構成において物理量が変化中である場合、表示器上には、現在値である数字全体およびその背後に過去値であるの一部分が視認される。そして、表示される現在値が変化すると同時にその背後の過去値も連動して変化する。このとき、現在値と過去値とは当然異なっているので、現在値を示す数字形状と過去値を示す数字形状とも異なっている。したがって、視認者がこれを見ると、物理量が変化中であることを容易且つ確実に認識することができる。そして、現在値および背後の過去値を読み取ることができれば、物理量の変化方向、すなわち増加か減少かを判断することもできる。
【００１３】
また、物理量の変動状態に応じて、すなわち増加中かまたは減少中かに応じて過去値が重ねて表示される現在値の部位を切り替えている。これにより、視認者は、物理量の変化方向、つまり増加中か減少中かをも容易且つ明瞭に認識することができる。
【００１４】
また、現在値の背後に過去値を一個あるいは順次遡る複数個を現在値と部分的に重ねて表示させることにより、過去値を示す数字が現在値を示す数字の影のごとくに視認されるので、現在値を示す数字の見映えを立体感に富んだものとすることができる。これにより、車両用計器の見映えを斬新なものとすることができる。
【００１５】
以上により、物理量の変化状態を容易に視認可能且つ斬新な見映えの車両用計器を実現することができる。
【００１６】
本発明の請求項２に記載の車両用計器は、文字および図形を表示する表示器を備え、検出された物理量を表示器上に形成される数字により指示する車両用計器であって、表示器において、現在の物理量を指示する現在値の背後に、現在値を一個あるいは複数個を現在値と部分的に重ねて表示し、現在値が重ねて表示される現在値の部位を物理量の変化状態に対応して切り替える構成としている。
【００１７】
すなわち、本発明の請求項２に記載の車両用計器は、本発明の請求項１に記載の車両用計器に対して、現在値の背後に部分的に重ねて表示される数字を過去値から現在値に替えたものである。
【００１８】
この場合、重ねて表示される数字は同一であるが、表示される位置を、物理量の変化状態に応じて切り替えることにより、本発明の請求項１に記載の車両用計器と同様に、視認者に、物理量の変化方向、つまり増加中か減少中かを容易且つ明瞭に認識させることができる。
【００１９】
また、背後の数字が前面側に表示される数字の影のごとくに視認されるので、現在値を示す数字の見映えを立体感に富んだものとすることができる。これにより、車両用計器の見映えを斬新なものとすることができる。
【００２０】
以上により、物理量の変化状態を容易に視認可能且つ斬新な見映えの車両用計器を実現することができる。
【００２１】
本発明の請求項３に記載の車両用計器は、背後の数字が表示される部位は、物理量が増加中においては右側、下側、または右下側のいずれかであり、物理量が減少中においては左側、上側、または左上側のいずれかである構成としている。
【００２２】
このように、現在値における過去値が表示される位置を切り替えることにより、視認者に対して、物理量の変化状態、すなわち増加中かまたは減少中かを容易且つ確実に認識させることができる。
【００２３】
したがって、物理量の変化状態を容易に視認可能且つ斬新な見映えの車両用計器を実現することができる。
【００２４】
なお、変動する事象を表示する場合、一般的には、表示意匠をその正面を左向きとして配置する、表示意匠の動きが右から左に向かうように視認されるように配置する、あるいは表示意匠の動きが下から上に向かうように視認されるように配置することにより正の動き、たとえば物理量の増大を示すことが多い。また、この反対の表示の仕方、すなわち、表示意匠をその正面を右向きとして配置する、表示意匠の動きが左から右に向かうように視認されるように配置する、あるいは表示意匠の動きが上から下に向かうように視認されるように配置することにより負の動き、たとえば物理量の減少を示すことが多い。したがって、本発明の請求項３に記載の車両用計器のような表示方法を採用することにより、視認者に対して、誤解なく正確に、物理量の変化状態を認識させることができる。
【００２５】
本発明の請求項４に記載の車両用計器は、物理量の変化度合いの大きさによって、重ねて表示される前記現在値あるいは前記過去値の表示ピッチを変える構成としている。
【００２６】
この構成によれば、表示ピッチの大きさにより、物理量の変化度合い、すなわち変化率を、視認者に容易且つ確実に認識させることができる。
【００２７】
この場合、本発明の請求項５に記載の車両用計器のように、物理量の変化度合いが大きいほど、前記表示ピッチを大きくする構成とすれば、視認者は、表示ピッチ大→変化速度大→変化率大と極めて自然に連想することができる。
【００２８】
したがって、物理量の変化度合い、つまり変化率を容易に視認可能且つ斬新な見映えの車両用計器を実現することができる。
【００２９】
本発明の請求項６に記載の車両用計器は、物理量の変化度合いの大きさによって、重ねて表示される現在値あるいは過去値の個数を変える構成としている。
【００３０】
この構成によれば、重ねて表示される現在値あるいは過去値の個数により、物理量の変化率を、視認者に容易且つ確実に認識させることができる。
【００３１】
この場合、本発明の請求項７に記載の車両用計器のように、物理量の変化度合いが大きいほど、重ねて表示される現在値あるいは過去値の個数を多くする構成とすれば、視認者は、個数多→変化速度大→変化率大と極めて自然に連想することができる。
【００３２】
したがって、物理量の変化度合い、つまり変化率を容易に視認可能且つ斬新な見映えの車両用計器を実現することができる。
【００３３】
本発明の請求項８に記載の車両用計器は、物理量の変化度合いの大きさによって、現在値および重ねて表示される現在値あるいは過去値を重なり方向に向けて傾斜させる構成としている。
【００３４】
この構成によれば、現在値および重ねて表示される現在値あるいは過去値を重なり方向に向けて傾斜させる傾斜度合いにより、物理量の変化率を、視認者に容易且つ確実に認識させることができる。
【００３５】
この場合、本発明の請求項９に記載の車両用計器のように、物理量の変化度合いが大きいほど、傾斜度合いを大きくする構成とすれば、視認者は、傾斜度合い大→変化速度大→変化率大と極めて自然に連想することができる。
【００３６】
したがって、物理量の変化度合い、つまり変化率を容易に視認可能且つ斬新な見映えの車両用計器を実現することができる。
【００３７】
本発明の請求項１０に記載の車両用計器は、現在値および重ねて表示される現在値あるいは過去値の発光輝度を徐々に変える構成としている。
【００３８】
これによれば、現在値から各過去値の配列において、それらの明るさをグラデーション的に変化させることにより、現在値の見映えをより立体感を強調したものとすることができる。
【００３９】
本発明の請求項１１に記載の車両用計器は、現在値および重ねて表示される現在値あるいは過去値の発光色を徐々に変える構成としている。
【００４０】
これによれば、現在値から各過去値の配列において、それらの色彩をグラデーション的に変化させる、たとえば、緑→黄緑→黄のように変化させることにより、現在値の見映えをより立体感を強調したものとすることができる。
【００４１】
本発明の請求項１２に記載の車両用計器は、物理量は、車両の走行速度、エンジン回転速度、エンジン冷却水温度、残存燃料量およびエンジン潤滑油圧力の内の少なくとも一つである構成としている。
【００４２】
これらの計器が示す物理量は、いずれも車両の作動状態に関する重要ものであるが、これらの物理量の変化状態および変化度合いを容易に視認可能且つ斬新な見映えの車両用計器を実現することができる。
【発明を実施するための最良の形態】
【００４３】
以下、本発明による車両用計器を、自動車に搭載される速度計１に適用した場合を例に図面に基づいて説明する。
【００４４】
（第1実施形態）
図１は、本発明の第１実施形態による速度計１を搭載するコンビネーションメータ１００の部分正面図である。なお、図１において、上方が自動車の上方であり、左右方向が自動車の幅方向となっている。
【００４５】
図２は、本発明の第１実施形態による速度計１を搭載するコンビネーションメータ１００の断面図であり、図1中のＩＩ−ＩＩ線断面図である。なお、図２において、左方が運転席であり、速度計１は、図２において、左側から視認される。
【００４６】
図３は、本発明の第１実施形態による速度計１を搭載するコンビネーションメータ１００の電気回路構成を説明する模式図である。
【００４７】
図４〜図７は、本発明の第１実施形態による速度計１の正面図であり、本発明の第１実施形態による速度計１における速度の表示状態を説明するための図である。
【００４８】
コンビネーションメータ１は、自動車の運転席前方の運転者から視認可能な位置に配設されて自動車に関する各種情報を表示するものである。速度計１は、コンビネーションメータ１００内に配置されて、当該自動車の走行速度を指示している。本発明の第１実施形態による速度計１は、図１に示すように、当該自動車の走行速度を数字により表示する、いわゆるデジタル式スピードメータである。なお、図１において、上方が自動車の上方であり、左右方向が自動車の幅方向となっている。
【００４９】
先ず、速度計１の構成について、関連するコンビネーションメータ１００の構成も含めて説明する。
【００５０】
コンビネーションメータ１００は、図２に示すように、各種情報を表示する文字盤６と、コンビネーションメータ１００の電気回路部を形成するプリント基板７と、文字盤６、プリント基板７等を収容固定するケーシング８を備えている。さらに、ケーシング８の運転席側端部（図２において左端）には、透明カバー９が固定されている。透明カバー９は、無色透明の樹脂板またはガラス等からなり、コンビネーションメータ１００内の清浄度を維持している。
【００５１】
文字盤６は、透光性材料、たとえば無色透明のポリカーボネート樹脂板から形成され、各種情報を表示するための種々の表示意匠（図示せず）が、文字盤６の表面あるいは裏面に印刷またはホットスタンプ等を施すことにより形成されている。また、文字盤６には、図２に示すように、速度計１を形成する後述する液晶パネル２を視認可能とするための開口孔６ａが設けられている。すなわち開口孔６ａの形状は、液晶パネル２の表示画面２１がちょうど嵌るように設定されている。また、文字盤６の開口孔６ａ周辺は、本発明の第１実施形態による速度計１を搭載するコンビネーションメータ１００においては、速度計１の存在を際立たせて速度計１の良好な視認性を得るために、不透光性に着色（たとえば、艶消し黒色等）されている。
【００５２】
速度計１は、図２に示すように、文字および図形を表示する表示器である液晶パネル２と、液晶パネル２を透過照明して速度計１を発光表示させるための光源であるバックライト３と、検出された車速信号から当該自動車の走行速度を算出し、それに基づいて当該自動車の走行速度を表示するように液晶パネル２を駆動するコントローラ４とから構成されている。
【００５３】
文字および図形を表示する表示器である液晶パネル２は、本発明の第１実施形態による速度計１においては、マトリックス型の液晶表示器が用いられている。また、液晶パネル２は、図２に示すように、たとえば多極のフレキシブルプリント基板５を介してコンビネーションメータ１００のプリント基板７に電気的に接続されている。
【００５４】
バックライト３は、発光ダイオード（図示せず）と、発光ダイオードからの光を液晶パネル２へ導いて、液晶パネル２の全面を均一な照度で照明する導光板（図示せず）から構成され、図２に示すように、液晶パネル２の背面に密着配置されている。また、バックライト３は、図２に示すように、フレキシブルプリント基板５を介してコンビネーションメータ１００のプリント基板７に電気的に接続されている。
【００５５】
コントローラ４は、たとえばマイクロコンピュータ等から構成され、コンビネーションメータ１００のプリント基板７上に実装されている。
【００５６】
次に、以上説明した、本発明の第１実施形態による速度計１の電気回路構成について、図３に基づいて説明する。
【００５７】
図３に示すように、コントローラ４には、バッテリ１１から電力が常時供給されている。また、コントローラ４は、イグニッションスイッチ１０が、その作動状態（ＯＮまたはＯＦＦ）を検出可能に接続されている。
【００５８】
また、コントローラ４には、図３に示すように、自動車の走行速度検出用の速度センサ１２が検出信号を入力可能に接続されている。速度センサ１２は、たとえば、当該自動車のトランスミッション出力軸の回転数を検出するものである。
【００５９】
また、コントローラ４には、図３に示すように、液晶パネル２およびバックライト３が接続されている。
【００６０】
次に、このように構成した本発明の第１実施形態による速度計１の作動および視認状態について、特に、本発明の第１実施形態における速度計１の特徴である液晶パネル２上における走行速度の表示の仕方を中心に説明する。
【００６１】
運転者によりイグニッションスイッチ１０がＯＮされると、コントローラ４は、イグニッションスイッチ１０がＯＮされたことを検知して、バックライト３を点灯させる。同時に、コントローラ４は、速度センサ１２からの検出信号を受けて当該自動車の走行速度を算出し、それに基づいて当該自動車の走行速度を表示するように液晶パネル２を駆動する。
【００６２】
本発明の第１実施形態における速度計１の液晶パネル２においては、速度を指示する数字等が非透過性に、それらの背景部分が透過性に制御される。したがって、液晶パネル２は、バックライト３により透過照明されて、速度を指示する数字等が黒色に、それらの背景部分が白色に視認される。
【００６３】
また、本発明の第１実施形態における速度計１における表示速度の最小単位は１ｋｍ／ｈとなっている。すなわち、走行速度が変化すると、速度計１における表示速度は、１ｋｍ／ｈ刻みで切り替えられる。
【００６４】
また、本発明の第１実施形態における速度計１においては、現在の物理量を指示する現在値としての最新の走行速度を指示する数字の背後に、過去の物理量を指示する過去値を順次遡る４個をそれぞれ部分的に重ねて表示している。
【００６５】
ところで、本発明の第１実施形態における速度計１において、コントローラ４は、所定の周期で走行速度を算出するとともに、それに基づいて液晶パネル２を駆動して、最新の走行速度である現在値の表示を更新している。上述の４個の過去値とは、現在値の直前の過去値から順番に遡る４個の過去値を指す。したがって、当該自動車の走行速度の変化度合い、つまり加速度が大きいときは、現在値と、それから遡って一番古い過去値との差は大きくなり、一方、走行速度の変化度合いである加速度が小さいときは、現在値と、それから遡って一番古い過去値との差は小さくなっている。
【００６６】
以下、走行速度の変化状態毎に、液晶パネル２上における走行速度の表示の仕方について説明する。
【００６７】
（１）自動車が増速中の場合・・・その１（緩やかに増速している場合）。
【００６８】
この場合、液晶パネル２の表示画面２１上に表示される走行速度の指示値、つまり現在値は、速度の増大に連動して増大するように切り替わる。
【００６９】
図１には、当該自動車の増速中における一瞬間、すなわち走行速度が４０ｋｍ／ｈに到達した瞬間における、速度計１の正面図を示している。
【００７０】
このとき、液晶パネル２の表示画面２１上には、図１に示すように、走行速度の現在値である「４０」が表示され、その背後且つ右下方には、４個の過去値である「３９」、「３８」、「３７」、「３６」が、図１に示すように、順番に互いに部分的に重ねられて表示されている。また、現在値である「４０」と４個の過去値である「３９」、「３８」、「３７」、「３６」の表示間隔は、図１に示すように、ピッチＰ１に設定されている。
【００７１】
また、液晶パネル２において、の表示画面２１上には、図１に示すように、走行速度の現在値である「４０」の光透過率は最小、つまりほぼ０に設定され、４個の過去値の光透過率は、現在値に隣接する過去値から現在値から離れるに連れて徐々に増大するように設定されている。すなわち、「３９」の光透過率は「４０」の光透過率よりも大きく、「３８」の光透過率は「３９」の光透過率よりも大きく、「３７」の光透過率は「３８」の光透過率よりも大きく、「３６」の光透過率は「３７」の光透過率よりも大きく、設定されている。
【００７２】
したがって、これを運転者が見ると、図１に示すように、「４０」は黒く視認され、「３９」〜「３６」は、明るさが順番に明るくなる灰色に視認される。
【００７３】
なお、本発明の第１実施形態による速度計１では、現在値が黒色で背景部が白色である。一方、４個の過去値は、現在値から離れた過去値ほどより明るい灰色に視認される。言い換えると、現在値から離れた過去値ほど、背景部とのコントラストが弱くなっている。これにより、現在値の背後の明るさをグラデーション的に変化させる場合と同等の効果、すなわち、現在値の見映えをより立体感を強調したものとすることができる。
【００７４】
（２）自動車が増速中の場合・・・その２（急速に加速している場合）。
【００７５】
この場合も、上述の（１）の場合と同様に、液晶パネル２の表示画面２１上に表示される走行速度の指示値、つまり現在値は、速度の増大に連動して増大するように切り替わる。
【００７６】
図４は、当該自動車の増速中における一瞬間、すなわち走行速度が６０ｋｍ／ｈに到達した瞬間における、速度計１の正面図を示している。
【００７７】
液晶パネル２の表示画面２１上には、図４に示すように、走行速度の現在値である「６０」が表示され、その背後且つ右下方には、４個の過去値である「５８」、「５６」、「５４」、「５２」が、図４に示すように、順番に互いに部分的に重ねられて表示されている。また、現在値である「６０」と４個の過去値である「５８」、「５６」、「５４」、「５２」の表示間隔は、図４に示すように、ピッチＰ２に設定されている。このとき、ピッチＰ２は、上述の（１）の場合、つまり加速度が小さい場合におけるピッチＰ１よりも大きく設定されている。
【００７８】
また、液晶パネル２上における走行速度の現在値の光透過率と、４個の過去値の光透過率との関係は、上述の（１）の場合と同様に設定されている。したがって、これを運転者が見ると、図４に示すように、現在値である「６０」は黒く視認され、４個の過去値「５８」、「５６」、「５４」、「５２」は、明るさが順番に明るくなる灰色に視認される。
【００７９】
（３）自動車が一定速度で走行中の場合。
【００８０】
図５には、当該自動車が一定速度である８０ｋｍ／ｈで走行中における速度計１の正面図を示している。
【００８１】
この場合も、上述の（１）の場合と同様に、液晶パネル２の表示画面２１上には、走行速度の現在値が表示され、その背後且つ右下方には、４個の過去値が順番に互いに部分的に重ねられて表示されている。
【００８２】
ところで、自動車の走行速度が一定のときには、４個の過去値は現在値と等しくなる。
【００８３】
したがって、この場合、自動車の走行速度が一定であるため、４個の過去値は現在値と等しくなる。液晶パネル２の表示画面２１上には、図５に示すように、走行速度の現在値である「８０」が表示され、その背後且つ右下方には、４個の過去値である「８０」が、図５に示すように、順番に互いに部分的に重ねられて表示されている。また、現在値である「８０」と過去値である４個の「８０」の表示間隔は、図５に示すように、ピッチＰ３に設定されている。ここで、ピッチＰ３は、上述の（１）の場合、つまり加速度が小さい場合におけるピッチＰ１よりも小さく設定されている。
【００８４】
また、液晶パネル２上における走行速度の現在値の光透過率と、４個の過去値の光透過率との関係は、上述の（１）の場合と同様に設定されている。したがって、これを運転者が見ると、図５に示すように、現在値である「８０」は黒く視認され、４個の過去値「８０」は、明るさが順番に明るくなる灰色に視認される。
【００８５】
なお、当該自動車の停車中、つまり走行速度が０ｋｍ／ｈであるときも、現在値である「０」と過去値である４個の「０」の表示間隔は、ピッチＰ３となっている。
【００８６】
（４）自動車が減速中の場合・・・その１（緩やかに減速している場合）。
【００８７】
この場合、液晶パネル２の表示画面２１上に表示される走行速度の指示値、つまり現在値は、速度の減少に連動して減少するように切り替わる。
【００８８】
図６には、当該自動車の減速中における一瞬間、すなわち走行速度が５０ｋｍ／ｈに到達した瞬間における速度計１の正面図を示している。
【００８９】
このとき、液晶パネル２の表示画面２１上には、図６に示すように、走行速度の現在値である「５０」が表示され、その背後且つ左上方には、４個の過去値である「５１」、「５２」、「５３」、「５４」が、図６に示すように、順番に互いに部分的に重ねられて表示されている。また、現在値である「５０」と４個の過去値である「５１」、「５２」、「５３」、「５４」の表示間隔は、図６に示すように、ピッチＰ１に設定されている。
【００９０】
また、液晶パネル２上における走行速度の現在値の光透過率と、４個の過去値の光透過率との関係は、上述の（１）の場合と同様に設定されている。したがって、これを運転者が見ると、図６に示すように、現在値である「５０」は黒く視認され、４個の過去値「５１」、「５２」、「５３」、「５４」は、明るさが順番に明るくなる灰色に視認される。
【００９１】
（５）自動車が減速中の場合・・・その２（急速に減速している場合）。
【００９２】
この場合も、上述の（４）の場合と同様に、液晶パネル２の表示画面２１上に表示される走行速度の指示値、つまり現在値は、速度の減少に連動して減少するように切り替わる。
【００９３】
図７には、当該自動車の減速中における一瞬間、すなわち走行速度が７０ｋｍ／ｈに到達した瞬間の速度計１の正面図を示している。
【００９４】
液晶パネル２の表示画面２１上には、図４に示すように、走行速度の現在値である「７０」が表示され、その背後且つ左上方には、４個の過去値である「７２」、「７４」、「７６」、「７８」が、図７に示すように、順番に互いに部分的に重ねられて表示されている。また、現在値である「７０」と４個の過去値である「７２」、「７４」、「７６」、「７８」の表示間隔は、図７に示すように、ピッチＰ２に設定されている。このとき、ピッチＰ２は、上述の（４）の場合、つまり減速の加速度が小さい場合におけるピッチＰ１よりも大きく設定されている。
【００９５】
また、液晶パネル２上における走行速度の現在値の光透過率と、４個の過去値の光透過率との関係は、上述の（１）の場合と同様に設定されている。したがって、これを運転者が見ると、図６に示すように、現在値である「７０」は黒く視認され、４個の過去値「７２」、「７４」、「７６」、「７８」は、明るさが順番に明るくなる灰色に視認される。
【００９６】
以上説明した、本発明の第１実施形態における速度計１においては、現在の物理量を指示する現在値としての最新の走行速度を指示する数字の背後に、過去の物理量を指示する過去値を順次遡るように４個をそれぞれ部分的に重ねて表示している。さらに、物理量が増加中、すなわち増速中においては、４個の過去値を現在値の右下方に配置し、物理量が減少中、つまり減速中においては、４個の過去値を現在値の左上方に配置した。
【００９７】
ところで、変動する事象を表示する場合、一般的に、表示意匠をその正面を左向きとして配置する、表示意匠の動きが右から左に向かうように視認されるように配置する、あるいは表示意匠の動きが下から上に向かうように視認されるように配置することにより正の動き、たとえば物理量の増大を示すことが多い。また、この反対の表示の仕方、すなわち、表示意匠をその正面を右向きとして配置する、表示意匠の動きが左から右に向かうように視認されるように配置する、あるいは表示意匠の動きが上から下に向かうように視認されるように配置することにより負の動き、たとえば物理量の減少を示すことが多い。
【００９８】
したがって、本発明の第１実施形態による速度計１において、増速中においては、４個の過去値を現在値の右下方に配置し、減速中においては、４個の過去値を現在値の左上方に配置すれば、視認者は、過去値の表示位置を見ることにより、速度の変化状態、すなわち増速中かまたは減速中かを、誤解なく正確に、認識することができる。
【００９９】
また、以上説明した、本発明の第１実施形態における速度計１においては、現在値およびその背後に部分的に重ねて配置される４個の過去値の表示ピッチを、速度の変化度合い、すなわち加速度（増速時および減速時）の大きさに応じて変化させている。すなわち、加速度が大きいほど表示ピッチを大きく設定している。
【０１００】
この場合、視認者は、表示ピッチ大→変化速度大→変化率大、または表示ピッチ小→変化速度小→変化率小と極めて自然に連想することができる。
【０１０１】
したがって、速度の変化度合い、すなわち加速度（増速時および減速時）の大小を容易に視認可能且つ斬新な見映えの速度計１を実現することができる。
【０１０２】
なお、自動車の増速中において、変速機のシフトアップにより、加速度が一時的に減少することがあるが、この場合、本発明の第１実施形態による速度計１においては、現在値および４個の過去値の配列の表示ピッチが、一瞬小さくなり、再び増大する。運転者がこれを見た場合、速度計１上に表示される数字列の表示ピッチの変化と、運転者が体感する自身に作用する慣性力の大きさの変化とが一致するように感じられる。すなわち、本発明の第１実施形態による速度計１においては、自動車走行中における加速度変化を、正確に表示することができる。
【０１０３】
また、以上説明した、本発明の第１実施形態における速度計１においては、現在値および４個の過去値の発光輝度を徐々に変えている。すなわち、現在値は黒く視認され、４個の過去値は、明るさが順番に明るくなる灰色に視認される。
【０１０４】
このとき、本発明の第１実施形態による速度計１では、現在値が黒色で背景部が白色であるため、現在値から離れた過去値ほど、背景部とのコントラストが弱くなっている。これにより、現在値の背後の明るさをグラデーション的に変化させる場合と同等の効果、すなわち、現在値の見映えをより立体感を強調したものとすることができる。
【０１０５】
従来の車両用計器、すなわちデジタル式速度計においては、速度の変化状態および変化度合い、すなわち増速中なのか減速中なのか、および加速度の緩急等を判断することは非常に困難である。また、表示の見映えが平面的で面白みに欠けたものになるという問題がある。
【０１０６】
これに対して、以上説明した、本発明の第１実施形態における速度計１においては、上述したような構成とすることにより、デジタル式速度計の長所、すなわち速度を数値により直読できるという利点を活かしつつ、速度の変化状態および変化度合い、すなわち増速中なのか減速中なのか、および加速度の緩急等を容易且つ確実に読み取ることが可能な速度計１を実現することができる。
【０１０７】
さらには、速度の指示値である現在値の見映えを立体感に富んだものとして、斬新な見映えの速度計１を提供することができる。
【０１０８】
（第２実施形態）
図８は、本発明の第２実施形態による速度計１における、当該自動車の増速中の一瞬間、すなわち走行速度が６０ｋｍ／ｈに到達した瞬間の正面図である。
【０１０９】
本発明の第２実施形態による速度計１では、本発明の第１実施形態による速度計１に対して、当該自動車の増速時および減速時における加速度の大きさの指示方法を変更している。
【０１１０】
すなわち、本発明の第１実施形態による速度計１においては、速度の現在値の背後に４個の過去値を互いに部分的に重ねて表示するとともに、その表示間隔である表示ピッチの大きさを、加速度が大きくなるに連れて大きくしている。つまり、表示ピッチの大小により加速度の大小を表している。
【０１１１】
これに対して、本発明の第２実施形態による速度計１では、当該自動車の増速時および減速時において、速度の現在値およびその背後に互いに部分的に重ねて表示される４個の過去値を、図８に示すように、傾斜させるとともに、その傾斜角θを、加速度が大きくなるに連れて大きくしている。つまり、傾斜角の大小により加速度の大小を表している。
【０１１２】
また、本発明の第２実施形態による速度計１では、当該自動車の増速時および減速時における現在値および過去値の表示ピッチは、図８に示すように、ピッチＰ２一定である。
【０１１３】
なお、一定速度で走行中においては、速度の現在値およびその背後に互いに部分的に重ねて表示される４個の過去値を傾斜させずに直立させ、且つこれらの表示ピッチをピッチＰ３としている。
【０１１４】
また、自動車の増速時および減速時における加速度の大きさの指示方法以外の表示仕様は、本発明の第１実施形態による速度計１の場合と同様である。たとえば、一定速度で走行中においては、速度の現在値およびその背後に互いに部分的に重ねて表示される４個の過去値を傾斜させずに直立させ、且つこれらの表示ピッチをピッチＰ３としている。
【０１１５】
本発明の第２実施形態による速度計１において、視認者は、速度指示値の傾斜角大→変化速度大→変化率大、または速度指示値の傾斜角小→変化速度小→変化率小と極めて自然に連想することができる。
【０１１６】
したがって、加速度（増速時および減速時）の大小を容易に視認可能且つ斬新な見映えの速度計１を実現することができる。
【０１１７】
なお、以上説明した、本発明の第１実施形態および第２実施形態による速度計１においては、走行速度の現在値の背後に重ねて表示する過去値の個数を４個としているが、４個に限る必要は無く、２個以上幾つであってもよい。
【０１１８】
また、以上説明した、本発明の第１実施形態および第２実施形態による速度計１においては、液晶パネル２の表示を、白、黒、灰色のいわゆるモノトーンとしているが、カラー表示としてもよい。たとえば、表示画面２１の背景部の表示色を明るい空色とし、現在値の表示色を群青色とし、各過去値の表示色を現在値から離れたものほど明度の高い青色としてもよい。
【０１１９】
また、以上説明した、本発明の第１実施形態および第２実施形態による速度計１においては、表示器として液晶パネルを用いているが、他の種類の表示器、たとえば有機ＥＬパネル等を用いてもよい。
【０１２０】
また、以上説明した、本発明の第１実施形態および第２実施形態による速度計１においては、当該自動車の増速時および減速時における加速度の大きさの指示を、速度の現在値およびその背後に互いに部分的に重ねて表示される４個の過去値の表示ピッチあるいは傾斜角を、加速度の大きさ応じて変えることによって行っている。すなわち、重ねて表示される過去値の個数は、加速度の大小にかかわらず４個一定となっている。これに対して、加速度の大きさに応じてか表示される過去値の個数を変える構成としてもよい。たとえば、現在値および過去値の表示ピッチは常時一定とし、且つ加速度が大きくなるに連れて表示される過去値の個数が増加するようにしてもよい。
【０１２１】
また、以上説明した、本発明の第１実施形態および第２実施形態においては、車両用計器として速度計１を例に説明しているが、速度計１に限定する必要はなく、他の種類の計器、たとえば、当該自動車のエンジン回転速度を指示するタコメータ、燃料タンク内の残存燃料量を指示する燃料計、エンジン冷却水温度を指示する水温計等に適用してもよい。また、一つのコンビネーションメータ１００内に、本発明による車両用計器を複数個備えてもよい。
【図面の簡単な説明】
【０１２２】
【図１】本発明の第１実施形態による速度計１を搭載するコンビネーションメータ１００の部分正面図である。
【図２】本発明の第１実施形態による速度計１を搭載するコンビネーションメータ１００の断面図であり、図1中のＩＩ−ＩＩ線断面図である。
【図３】本発明の第１実施形態による速度計１を搭載するコンビネーションメータ１００の電気回路構成を説明する模式図である。
【図４】本発明の第１実施形態による速度計１の正面図である。
【図５】本発明の第１実施形態による速度計１の正面図である。
【図６】本発明の第１実施形態による速度計１の正面図である。
【図７】本発明の第１実施形態による速度計１の正面図である。
【図８】本発明の第２実施形態による速度計１の正面図である。
【符号の説明】
【０１２３】
１    速度計（車両用計器）
２    液晶パネル（表示器）
２１    表示画面
３    バックライト
４    コントローラ
５    フレキシブルプリント基板
６    文字盤
６ａ    開口孔
７    プリント基板
８    ケーシング
９    透明カバー
１０    イグニッションスイッチ
１１    バッテリ
１２    速度センサ
１００    コンビネーションメータ
Ｐ１    表示ピッチ
Ｐ２    表示ピッチ
Ｐ３    表示ピッチ
θ    傾斜角
【図１】
2005300360.tif 000003
【図２】
2005300360.tif 000004
【図３】
2005300360.tif 000005
【図４】
2005300360.tif 000006
【図５】
2005300360.tif 000007
【図６】
2005300360.tif 000008
【図７】
2005300360.tif 000009
【図８】
2005300360.tif 000010